(57)【要約】【課題】送風ファンのモータ軸受温度の上昇が防止されて機器の延命が可能で、送風ファンから送りだされた空気をヒータの伝熱範囲に集中させることにより熱交換効率の向上が可能になる自動販売機を得る。【解決手段】熱交換室８内において、ヒータ７と送風ファン２との間にヒータ７から送風ファン２に向かって輻射される輻射熱を遮るための熱反射板２０と、熱反射板２０によって振り分けられた空気をヒータ７に集中させる風向板３０とを商品収納庫１の床面１９に設置する。また、熱反射板が送風ファン２側に頂点を有する平面視断面略三角状または略円錐状で、風向板３０がヒータ７側が狭くなる平面視断面略ハ字状または天板および地板が開口した略円錐台状であることを特徴とする。【選択図】        図１
2005316798.tif 000002
【特許請求の範囲】
【請求項１】
断熱材によって囲まれ一面に開口部が設けられた筐体と、商品を搬出する商品搬出口が設けられ前記開口部を開閉自在な断熱扉とを具備する商品収納庫と、
該商品収納庫内に配置され、商品を収納して順次下方に搬出する機能を有する商品ラックと、
前記商品ラックから落下した商品を前記商品搬出口に誘導するシュータと、
該シュータの下方に配置されて空気を加熱する加熱手段と、
該加熱手段に空気を送る送風手段と、
前記加熱手段によって加熱された空気を前記商品ラックの内部を経由して該送風手段に循環させるための循環ダクトとを有する自動販売機であって、
前記加熱手段と送風手段との間に、前記加熱手段から前記送風手段に向かって輻射される輻射熱を遮るための熱反射板と、該熱反射板によって振り分けられた空気を前記加熱手段に向けて案内する風向板とを配置したことを特徴とする自動販売機。
【請求項２】
前記熱反射板および前記風向板が前記商品収納庫の床面に設置されることを特徴とする請求項１記載の自動販売機。
【請求項３】
前記熱反射板が平面視において前記送風手段側に頂点を有する断面略三角状または断面略Ｖ字状で、前記風向板が平面視において前記加熱手段側が狭くなる断面略ハ字状であることを特徴とする請求項１または２記載の自動販売機。
【請求項４】
前記熱反射板が前記送風手段側に頂点を有する略円錐状または略多角錐台状で、前記風向板が前記加熱手段側が狭くなる天板および地板が開口した略円錐台状または略多角錐台状であることを特徴とする請求項１または２記載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
図５は、従来の自動販売機を示す側面視の縦断面図である。
図５において、自動販売機９００は、断熱材によって囲まれ一面に開口部が設けられた筐体と、商品を搬出する商品搬出口１０が設けられ前記開口部を開閉自在な断熱扉１２とを具備する商品収納庫１と、商品収納庫１の内部の空気を所定の温度にするための冷却ユニット５およびヒータ７とを有している。なお、商品３は、缶、ビン、ペットボトル等の容器に入れた飲料等の商品であって、商品そのものまたは商品が封入された容器を指している。
【０００３】
（商品収納庫）
商品収納庫１の断熱扉１２（図中、左側）の下部には、製品取り出し用の商品搬出口１０が設けられ、商品搬出口１０に向かって傾斜したシュータ９が配置され、シュータ９が商品収納庫１の内部を上下に仕切っている。
そして、シュータ９の上方に商品３を集積するための商品ラック４が配置され、シュータ９の下方に熱交換室８が配置されている。シュータ９は、前方（図中、左側）に向けて漸次低くなるように傾斜し、商品ラック４から落下した商品３を商品搬出口１０にまで送り出すものである。また、シュータ９には、送風ファン２から吹き出された空気（冷却または加熱された空気）をシュータ９の上方に流して、商品収納庫１の内部で循環させるための通気穴（図示しない）が穿設されている。
【０００４】
（風の流れ）
さらに、商品収納庫１の後面壁１３（図中、右側）と略平行に、所定の間隔を設けて循環ダクト壁１４が配置されている。循環ダクト壁１４の上部には商品ラック４の位置に到達して開口する循環ダクト吸込口１７が、循環ダクト壁１４の下方には熱交換室８に連通して開口する循環ダクト吹出口１５がそれぞれ設けられ、後面壁１３と循環ダクト壁１４とによって挟まれた空間に循環ダクト１１が形成されている。
したがって、送風手段２（以下、送風ファンと称す）によって送られた空気は、シュータ９に設けられた通気孔（図示しない）を通過し、商品ラック４の内部を経由して循環ダクト１１に吸い込まれ、送風ファン２に戻って来るから、空気は商品収納庫１内を循環することになる。
【０００５】
このとき、冷却ユニット５を稼働して蒸発器６に冷熱を供給すると、蒸発器６において冷却された空気が通気穴を経由して商品ラック４に向けて吹き出し、商品ラック４に集積した商品３を冷却する。そして、暖まった空気は循環ダクト１１を経由して再度蒸発器６に戻ってくる。
一方、ヒータ７を稼働した場合には、加熱された空気が通気穴を経由して商品ラック４に向けて吹き出し、商品ラック４に集積した商品３を加熱する。そして、冷めた空気は循環ダクト１１を経由して再度ヒータ７に戻ってくる
なお、蒸発器６は冷却ユニット５（商品収納庫１の外部に設置されている）に接続され、所定の冷熱が供給されるものである。そして、蒸発器６（商品収納庫１を冷却する）またはヒータ７（商品収納庫１を加熱する）は、商品の種類や季節の変化に応じて商品収納庫毎に適宜使い分けられている。
【０００６】
（熱交換室）
熱交換室８は商品収納庫１の床面１９に設置され、循環ダクト壁１４に当接して、循環ダクト吹出口１５に連通している。そして、商品収納庫１内の空気を所定の温度に維持するための熱交換手段（蒸発器６およびヒータ７）と、商品収納庫１内の空気を循環するための送風ファン２とが収容されている。
このとき、ヒータ７によって加熱された空気が送風ファン２に当たらないように、ヒータ７は送風ファン２の下流に配置されている。さらに、ヒータ７からの輻射熱によって送風ファン２の軸受温度が上昇し、これによって寿命が短くなるのを避けるため、該輻射熱を遮へいするための熱遮へい板１８がヒータ７と送風ファン２との間に設置されている。
したがって、送風ファン２によって送り出された空気は、まず、一旦熱遮へい板１８に衝突して周囲に振り分けられ、その後、ヒータ７を通過することになる。そして、シュータ９の上方に吹き出して、商品ラック４において商品３と熱交換され、循環ダクト１１を経由して再度熱交換室８に吸い込まれる（例えば、特許文献１参照。）。
【０００７】
【特許文献１】特開平１１−１８５１３４号公報（第４頁、図３）
【発明の開示】
【発明が解決しようとする課題】
【０００８】
しかしながら、特許文献１に開示された発明は、ヒータ７から送風ファン２に向かって輻射される輻射熱が、送風ファンの軸受部（プロペラの回転中心に略同じ）に直接照射されないようにするものの、送風ファン２から送り出された風の流れは、一旦熱遮へい板１８に衝突して周囲に分散されるため、ヒータ７の周囲をすり抜けるという問題、若しくはヒータ７の伝熱範囲に集中しないという問題がある。
すなわち、熱遮へい板１８に衝突して上下左右に分散された空気は、熱交換室８の側壁および商品収納庫１の床面１９に沿って流れるため、ヒータ７の周囲をすり抜けて十分に加熱されていない空気が商品ラック４に送られるという問題や、主にヒータの周縁部において熱交換されるため、熱交換効率が低下するという問題がある。
さらに、熱遮へい板１８の支持部材１８ｓが送風ファン２の近傍に固定されているため、輻射熱によって加熱された熱遮へい板１８の熱が支持部材１８ｓを経由して送風ファン２に熱伝導され、モータ軸受温度が上昇することで寿命が短くなるという問題がある。
【０００９】
本発明は上記課題を解決するためのものであり、送風ファンのモータ軸受温度の上昇が防止されて機器寿命の延長が可能であって、かつ、送風ファンから送りだされた空気がヒータの伝熱範囲に集中することにより熱交換効率の向上が可能になる自動販売機を得ることを目的とする。
【課題を解決するための手段】
【００１０】
本発明に係る自動販売機（請求項１）は、断熱材によって囲まれ一面に開口部が設けられた筐体と、商品を搬出する商品搬出口が設けられ前記開口部を開閉自在な断熱扉とを具備する商品収納庫と、
該商品収納庫内に配置され、商品を収納して順次下方に搬出する機能を有する商品ラックと、
前記商品ラックから落下した商品を前記商品搬出口に誘導するシュータと、
該シュータの下方に配置されて空気を加熱する加熱手段と、
該加熱手段に空気を送る送風手段と、
前記加熱手段によって加熱された空気を前記商品ラックの内部を経由して該送風手段に循環させるための循環ダクトとを有する自動販売機であって、
前記加熱手段と送風手段との間に、前記加熱手段から前記送風手段に向かって輻射される輻射熱を遮るための反射板と、該熱反射板によって振り分けられた空気を前記加熱手段に向けて案内する風向板とを配置したことを特徴とする。
【００１１】
本発明に係る自動販売機（請求項２）は、前記熱反射板および前記風向板が前記商品収納庫の床面に設置されることを特徴とする。
【００１２】
本発明に係る自動販売機（請求項３）は、前記熱反射板が平面視において前記送風手段側に頂点を有する断面略三角状または断面略Ｖ字状で、前記風向板が平面視において前記加熱手段側が狭くなる断面略ハ字状であることを特徴とする。
【００１３】
本発明に係る自動販売機（請求項４）は、前記熱反射板が前記送風手段側に頂点を有する略円錐状または略多角錐台状で、前記風向板が前記加熱手段側が狭くなる天板および地板が開口した略円錐台状または略多角錐台状であることを特徴とする。
【発明の効果】
【００１４】
本発明の請求項１に係る自動販売機は、熱反射板と熱反射板とを有するから、送風手段の温度上昇が防止されて機器の延命が図られると共に、加熱手段における熱交換効率が向上して加熱手段の省エネ（省電力）が図られる。
【００１５】
また、請求項２に係る自動販売機は、熱反射板および風向板が前記商品収納庫の床面に設置されるから、輻射熱によって加熱された熱反射板および風向板から、その熱が送風手段に直接熱伝導することがなく、送風手段の温度上昇が防止される。
【００１６】
さらに、請求項３に係る自動販売機は、熱反射板が送風手段側に頂点を有する断面略三角状等であるから、構造が簡単で安価に製造することができると共に、送風手段に輻射される輻射熱を反射すると共に、風の流れの乱れを抑えながら、風の流れを左右に振り分けることが可能になる。また、風向板が前記加熱手段側が狭くなる断面略ハ字状であるから、構造が簡単で安価に製造することができると共に、振り分けられた風の流れを加熱手段に向かって集中することが可能になる。
【００１７】
さらに、請求項４に係る自動販売機は、熱反射板が略円錐状等であるから、送風手段に向かって輻射する輻射熱を最少面積で反射すると共に、風の流れを周囲（上下左右の全周に渡って）に滑らかに振り分けるから、余計な渦の発生や送風速度の低下を抑えることが可能になる。また、風向板が天板および地板が開口した（天板および地板を具備しないに同じ）略円錐台状であるから、板材によって容易かつ安価に形成することができると共に、周囲に振り分けられた風の流れを確実に加熱手段に向かって集めることが可能になる。
【発明を実施するための最良の形態】
【００１８】
図１は本発明の自動販売機に係る実施形態の構成を示す側面視の断面図である。なお、背景技術（図５）と同じ部分にはこれと同じ符号を付し、一部の説明を省略する。
自動販売機１００の熱交換室８は、循環ダクト壁１４に当接して商品収納庫１の床面１９に設置され、循環ダクト吹出口１５に連通している。そして、熱交換室８には、循環ダクト吹出口１５に近い位置から風の流れに沿って順番に、冷却手段６（以下「蒸発器６」と称す）と、送風手段２（以下「送風ファン２」と称す）と、熱反射板２０と、風向板３０と、加熱手段７（以下「ヒータ７」と称す）が配置されている。
熱反射板２０は、ヒータ７から輻射される輻射熱の内、送風ファン２（特に、軸受）に向かって輻射する輻射熱を遮へいするものであって、床面１９に設置されている。また、風向板３０は、熱反射板２０によって振り分けられた空気をヒータ７に向けて案内するものであって、床面１９に設置されている。
【００１９】
図２および図３は、図１に示す自動販売機における熱交換室を模式的に示す平面視の断面図および熱反射板を示す斜視図である。
図２において、熱交換室８は隔壁８ｗによって、蒸発器６（図示しない）を収容する冷却室８ｃと、ヒータ７を収容する加熱ダクト８ｈとに二分され、隔壁８ｗに送風ファン２が設置されている。すなわち、空気は冷却室８ｃ（図２において下側）から加熱ダクト８ｈの吹出口（図２において上側）に向かって送られている。
【００２０】
また、送風ファン２の下流側、すなわち、送風ファン２とヒータ７との間に、ヒータ７から輻射される輻射熱を遮へいするための熱反射板２０が床面１９に設置され、さらに、熱反射板２０の下流側、すなわち、熱反射板２０とヒータ７との間に熱反射板２０によって振り分けられた空気をヒータ７に向けて案内する風向板３０が設置されている。
なお、送風ファン２は、シリンダ状のベンチュリ２ｃと、ベンチュリ２ｃ内で回転するプロペラ２ｐと、プロペラ２ｐを回転駆動するファンモータ２ｍとを有している。なお、プロペラ２ｐはファンモータ２ｍの回転軸２ｓに固定され、回転軸２ｓは軸受２ｂによって軸支されている。
【００２１】
図２および３において、熱反射板２０は、平面視で略三角形状に成形された板材であって、送風ファン２側に頂点Ａが配置されて風の流れを左右に振り分けている（図３において矢印にて示す）。また、熱反射板２０の下端部にはフランジ２１が形成され、フランジ２０ｆが床面１９に固定されている。
したがって、熱反射板２０はヒータ７からの輻射熱の内、主に送風ファン２の軸受２ｍを輻射される輻射熱を防止する。さらに、熱反射板２０自体が輻射熱によって加熱されても、その熱は床面１９に伝達されるから、その熱によって送風ファン２が加熱されることがない。なお、熱反射板２０は、底辺（側縁Ｂと側縁Ｃとを結ぶ板材）を撤去して略Ｖ字状に形成してもよい。
【００２２】
図２において、風向板３０は一対の板材によって形成され、平面視においてヒータ７側が狭くなる略ハ字状に配置されている。したがって、熱反射板２０によって左右に振り分けられた風の流れ（図中、白抜き矢印にて示す）は、風向板３０によって案内されてヒータ７に集中することになる。
そして、風向板３０の側縁部Ｄおよび側縁部Ｇはヒータダクト８ｈの側壁に当接しているから、熱反射板２０によって左右に振り分けられた空気が、ヒータダクト８ｈの側壁にそって流れ、ヒータ７を外れた範囲をすり抜けることがない。よって、送付ファン２の軸受２ｂの温度上昇が防止され、その延命が図られると共に、ヒータ７おける熱交換効率が向上して省エネ（省電力）が図られる。
【００２３】
図４は本発明の自動販売機に係る実施形態における熱反射板および風向板の他の実施例を示す斜視図である。
図４において、熱反射板２１は板材によって形成された略円錐状であって、頂点Ｈが送風ファン２（図示しない）に向かって配置されている。したがって、送風ファン２の軸受２ｍ（図２参照）に向かう輻射熱を最少の面積で効果的に反射すると共に、送風ファン２から送られた風の流れを周囲に（上下左右の全周に渡って）略均等に、流れの乱れを抑えながら振り分けることができる。
そして、熱反射板２１の側面には支持部材２２が固定され、その下端に設けられたフランジ２２ｆが商品収納庫１の床面１９に設置されているから、熱反射板２１自体が輻射熱によって加熱されても、その熱は床面１９に伝達され、その熱によって送風ファン２が加熱されることがない。
【００２４】
また、風向板３１は、天板と地板とが開口した略円錐台状であって、板材によって形成されている（テーパ付き筒体に同じ）。したがって、熱反射板２１によって周囲に略均等に振り分けられた風の流れは、ヒータ７に向かって集められることになる。よって、送付ファン２の軸受２ｂの温度上昇が防止され、その延命が図られると共に、ヒータ７おける熱交換効率が向上して省エネ（省電力）が図られる。
なお、本発明において、熱反射板および風向板の形態は前記に限定するものではなく、輻射熱を反射するもの、および風流れをヒータに集中させるものである限り何れの形態であってもよい。
【産業上の利用可能性】
【００２５】
本発明は以上の構成であるから、各種自動販売機における、機器の延命手段および省エネ手段として広く利用することができる。
【図面の簡単な説明】
【００２６】
【図１】本発明の自動販売機に係る実施形態の構成を示す側面視の断面図。
【図２】図１における熱交換室を模式的に示す平面視の断面図。
【図３】図１における熱反射板を示す斜視図。
【図４】図１における熱反射板および風向板の他の実施例を示す斜視図。
【図５】従来の自動販売機を示す側面視の縦断面図。
【符号の説明】
【００２７】
１ 商品収納庫
２ 送風ファン
３ 商品
４ 商品ラック
５ 冷却ユニット
６ 蒸発器
７ ヒータ
８ 熱交換室
９ シュータ
１０ 商品搬出口
１１ 循環ダクト
１５ 循環ダクト吹出口
１７ 循環ダクト吸込口
１９ 床面
２０ 熱反射板
２１ 熱反射板
３０ 風向板
３１ 風向板
１００ 自動販売機
【図１】
2005316798.tif 000003
【図２】
2005316798.tif 000004
【図３】
2005316798.tif 000005
【図４】
2005316798.tif 000006
【図５】
2005316798.tif 000007